【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
チャネルチェンジを可能にする装置であって、
ノーマルストリーム及びチャネルチェンジストリームにアクセスする手段と、
前記アクセスする手段との信号通信において、チャネルチェンジ要求を受信し、前記チャネルチェンジ要求の受信に応じて前記チャネルチェンジストリームを送出するセレクタとを備え、
前記チャネルチェンジストリームの符号化ピクチャは、ノーマルストリームの符号化ピクチャよりも低い品質からなる、
ことを特徴とする装置。
【請求項２】
前記生成及び／又は受信する手段及び前記セレクタとの信号通信において、前記チャネルチェンジストリームを記憶するメモリ装置を更に備える、
請求項１記載の装置。
【請求項３】
前記チャネルチェンジストリームにおける第一の符号化ピクチャはＩピクチャである、
請求項１記載の装置。
【請求項４】
前記チャネルチェンジストリームは、チャネルチェンジストリームの符号化ピクチャを含み、前記ノーマルストリームは、ノーマルストリームの符号化ピクチャを含み、前記チャネルチェンジストリームの符号化ピクチャは、前記ノーマルストリームの符号化ピクチャよりも低い解像度からなる、
請求項１記載の装置。
【請求項５】
前記チャネルチェンジストリームは、チャネルチェンジストリームの符号化ピクチャを含み、前記ノーマルストリームは、ノーマルストリームの符号化ピクチャを含み、前記チャネルチェンジストリームの符号化ピクチャは、前記ノーマルストリームの符号化ピクチャよりも低いフレームレートからなる、
請求項１記載の装置。
【請求項６】
前記チャネルチェンジストリームは、チャネルチェンジストリームの符号化ピクチャを含み、前記ノーマルストリームは、ノーマルストリームの符号化ピクチャを含み、前記チャネルチェンジストリームの符号化ピクチャは、前記ノーマルストリームの符号化ピクチャよりも低いビットレートで符号化される、
請求項１記載の装置。
【請求項７】
前記チャネルチェンジストリームは、Ｒｅｄｕｃｅｄ  Ｒｅｄｕｃｔｉｏｎ  Ｕｐｄａｔｅを使用するチャネルチェンジストリームの符号化ピクチャを含む、
請求項１記載の装置。
【請求項８】
前記チャネルチェンジ要求の受信に応答して、Ｉピクチャのみが前記チャネルチェンジストリームで送出される、
請求項１記載の装置。
【請求項９】
前記チャネルチェンジストリームは、チャネルチェンジストリームの符号化ピクチャを含み、前記ノーマルストリームは、ノーマルストリームの符号化ピクチャを含み、前記セレクタは、前記チャネルチェンジストリームの符号化ピクチャが送出された後に前記ノーマルストリームの符号化ピクチャの送出に切替える、
請求項１記載の装置。
【請求項１０】
前記メモリ装置は、単一のグループオブピクチャ（ＧＯＰ）についてチャネルチェンジストリームの符号化ピクチャを記憶し、新たなグループオブピクチャが受信されたときに、前記ＧＯＰについて前記チャネルチェンジストリームの符号化ピクチャを置き換える、
請求項１記載の装置。
【請求項１１】
前記チャネルチェンジ処理ユニットは、デジタル加入者線アクセスマルチプレクサに含まれる、
請求項１記載の装置。
【請求項１２】
チャネル切り替えを可能にする装置であって、
ノーマルストリームの符号化ピクチャを有するノーマルストリームと、前記ノーマルストリームの符号化ピクチャよりも低い品質のチャネルストリームの符号化ピクチャを有するチャネルチェンジストリームとを受信してデコードするデコーダを備える、
ことを特徴とする装置。
【請求項１３】
前記デコーダとの信号通信において、現在のピクチャの表示の前に前記チャネルチェンジストリームに含まれる現在のチャネルストリームの符号化ピクチャをアップサンプリングするアップサンプラを更に備える、
請求項１２記載の装置。
【請求項１４】
前記チャネルチェンジストリームの符号化ピクチャは、前記ノーマルストリームの符号化ピクチャよりも低い解像度からなる、
請求項１２記載の装置。
【請求項１５】
前記チャネルチェンジストリームの符号化ピクチャは、Ｒｅｄｕｃｅｄ  Ｒｅｓｏｌｕｔｉｏｎ  Ｕｐｄａｔｅを使用する、
請求項１２記載の装置。
【請求項１６】
前記デコーダは、セットトップボックスからの前記チャネルチェンジ要求の送信に応答して前記チャネルチェンジストリームを受信する、
請求項１２記載の装置。
【請求項１７】
チャネル切り替えを可能にする装置であって、
ノーマルストリームの符号化ピクチャを有するノーマルストリームを符号化し、チャネルチェンジストリームの符号化ピクチャを有するチャネルチェンジストリームを符号化するエンコーダを有し、前記チャネルチェンジストリームの符号化ピクチャは、前記ノーマルストリームの符号化ピクチャよりも低い品質で符号化される、
ことを特徴とする装置。
【請求項１８】
前記エンコーダは、Ｉピクチャとして前記チャネルチェンジストリームにおける最初のピクチャを符号化する、
請求項１７記載の装置。
【請求項１９】
前記エンコーダは、前記ノーマルストリームの符号化ピクチャよりも低い解像度で前記チャネルチェンジストリームの符号化ピクチャを符号化する、
請求項１７記載の装置。
【請求項２０】
前記エンコーダは、前記ノーマルストリームの符号化ピクチャよりも低いフレームレートで前記チャネルチェンジストリームの符号化ピクチャを符号化する、
請求項１７記載の装置。
【請求項２１】
前記エンコーダは、前記ノーマルストリームの符号化ピクチャよりも低いビットレートで前記チャネルチェンジストリームの符号化ピクチャを符号化する、
請求項１７記載の装置。
【請求項２２】
前記チャネルチェンジストリームの符号化ピクチャは、Ｒｅｄｕｃｅｄ  Ｒｅｓｏｌｕｔｉｏｎ  Ｕｐｄａｔｅを使用して符号化される、
請求項１７記載の装置。
【請求項２３】
前記エンコーダとの信号通信における、前記チャネルチェンジストリームの前記入力フレームを符号化する前に入力フレームをダウンサンプリングするためのダウンサンプラを更に有する、
請求項１７記載の装置。
【請求項２４】
前記エンコーダは、インターコーデッドピクチャを含むために前記チャネルチェンジストリームを符号化する、
請求項１７記載の装置。
【請求項２５】
チャネル切り替えを可能にする方法であって、
前記ノーマルストリーム及びチャネルチェンジストリームにアクセスするステップと、
チャネルチェンジ要求を受信するステップと、
前記チャネルチェンジ要求の受信に応答して、前記チャネルチェンジストリームを送出するステップとを備え、
前記チャネルチェンジストリームの符号化ピクチャは、前記ノーマルストリームの符号化ピクチャよりも低い品質からなる、
ことを特徴とする方法。
【請求項２６】
前記チャネルチェンジストリームをローカルに記憶するステップを更に備える、
請求項２５記載の方法。
【請求項２７】
前記チャネルチェンジストリームにおける最初の符号化ピクチャは、Ｉピクチャである、
請求項２５記載の方法。
【請求項２８】
前記チャネルチェンジストリームは、チャネルチェンジストリームの符号化ピクチャを含み、前記ノーマルストリームは、ノーマルストリームの符号化ピクチャを含み、前記チャネルチェンジストリームの符号化ピクチャは、前記ノーマルストリームの符号化ピクチャよりも低い解像度からなる、
請求項２５記載の方法。
【請求項２９】
前記チャネルチェンジストリームは、チャネルチェンジストリーム符号化ピクチャを含み、前記ノーマルストリームは、ノーマルストリームの符号化ピクチャを含み、前記チャネルチェンジストリームの符号化ピクチャは、前記ノーマルストリームの符号化ピクチャよりも低いフレームレートからなる、
請求項２５記載の方法。
【請求項３０】
前記チャネルチェンジストリームは、チャネルチェンジストリームの符号化ピクチャを含み、前記ノーマルストリームは、ノーマルストリームの符号化ピクチャを含み、前記チャネルチェンジストリームの符号化ピクチャは、前記ノーマルストリームの符号化ピクチャよりも低いビットレートで符号化される、
請求項２５記載の方法。
【請求項３１】
前記チャネルチェンジストリームは、Ｒｅｄｕｃｅｄ  Ｒｅｓｏｌｕｔｉｏｎ  Ｕｐｄａｔｅを使用するチャネルチェンジストリームの符号化ピクチャを含む、
請求項２５記載の方法。
【請求項３２】
前記送出するステップは、前記チャネルチェンジ要求の受信に応答して前記チャネルチェンジストリームでＩピクチャのみを送出するステップを含む、
請求項２５記載の方法。
【請求項３３】
前記チャネルチェンジストリームは、チャネルチェンジストリームの符号化ピクチャを含み、前記ノーマルストリームは、ノーマルストリームの符号化ピクチャを含み、前記送出するステップは、前記チャネルチェンジストリームの符号化ピクチャが送出された後に前記ノーマルストリームの符号化ピクチャを送出するステップを有する、
請求項２５記載の方法。
【請求項３４】
前記記憶するステップは、単一のグループオブピクチャ（ＧＯＰ）についてチャネルチェンジストリームの符号化ピクチャを記憶するステップを備え、当該方法は、新たなグループオブピクチャが受信されたときに前記ＧＯＰについて前記チャネルチェンジストリームの符号化ピクチャを置き換えるステップを更に備える、
【請求項３５】
前記チャネルチェンジ処理ユニットは、デジタル加入者線アクセスマルチプレクサ（ＤＳＬＡＭ）に含まれる、
請求項２５記載の方法。
【請求項３６】
チャネル切り替えを可能にするデコード方法であって、
ノーマルストリームの符号化ピクチャを有するノーマルストリームと、前記ノーマルストリームの符号化ピクチャよりも低い品質のチャネルストリームの符号化ピクチャを有するチャネルチェンジストリームのうちの１つを受信し、デコードするステップを備える、
ことを特徴とする方法。
【請求項３７】
現在のピクチャの表示の前に前記チャネルチェンジストリームに含まれる現在のチャネルストリームの符号化ピクチャをアップサンプリングするステップを更に備える、
請求項３６記載の方法。
【請求項３８】
前記チャネルチェンジストリームの符号化ピクチャは、前記ノーマルストリームの符号化ピクチャよりも低い解像度からなる、
請求項３６記載の方法。
【請求項３９】
前記チャネルチェンジストリームの符号化ピクチャは、Ｒｅｄｕｃｅｄ  Ｒｅｓｏｌｕｔｉｏｎ  Ｕｐｄａｔｅを使用する、
請求項３６記載の方法。
【請求項４０】
前記デコーダは、セットトップボックスからの前記チャネルチェンジ要求の送信に応答して、前記チャネルチェンジストリームを受信する、
請求項３６記載の方法。
【請求項４１】
チャネル切り替えを可能にするエンコード方法であって、
ノーマルストリームの符号化ピクチャを有するノーマルストリームを符号化し、チャネルチェンジストリームの符号化ピクチャを有するチャネルチェンジストリームを符号化するステップを備え、前記チャネルチェンジストリームの符号化ピクチャは、前記ノーマルストリームの符号化ピクチャよりも低い品質で符号化される、
ことを特徴とするエンコード方法。
【請求項４２】
前記符号化するステップは、Ｉピクチャとして前記チャネルチェンジストリームにおける最初のピクチャを符号化する、
請求項４１記載の方法。
【請求項４３】
前記符号化ステップは、前記ノーマルストリームの符号化ピクチャよりも低い解像度で前記チャネルチェンジストリームの符号化ピクチャを符号化する、
請求項４１記載の方法。
【請求項４４】
前記符号化するステップは、前記ノーマルストリームの符号化ピクチャよりも低いフレームレートで前記チャネルチェンジストリームの符号化ピクチャを符号化する、
請求項４１記載の方法。
【請求項４５】
前記符号化するステップは、前記ノーマルストリームの符号化ピクチャよりも低いビットレートで前記チャネルチェンジストリームの符号化ピクチャを符号化する、
請求項４１記載の方法。
【請求項４６】
前記符号化するステップは、Ｒｅｄｕｃｅｄ  Ｒｅｓｏｌｕｔｉｏｎ  Ｕｐｄａｔｅを使用して前記チャネルチェンジストリームの符号化ピクチャを符号化する、
請求項４１記載の方法。
【請求項４７】
前記チャネルチェンジストリームについて入力フレームを符号化する前に前記入力フレームをダウンサンプリングするステップを更に備える、
請求項４１記載の方法。